(57)【特許請求の範囲】
【請求項１】
仕掛けの飛距離を出すために釣糸に装着する飛ばしうきであって、
低反発弾性のゴムで構成されるうき本体と、上記うき本体に設けられた視認性を高めるためのキャップ部とを備え、上記うき本体内には上記うき本体の両側部で開口する糸通し管を設けることを特徴とする飛ばしうき。
【請求項２】
上記キャップ部を合成樹脂により構成し、上記うき本体と上記キャップ部との間に、色映り防止用のシートを介在させたことを特徴とする請求項１に記載の飛ばしうき。
【発明の詳細な説明】
【０００１】
【産業上の利用分野】
本発明は、仕掛の飛距離を出すために釣糸に装着する飛ばしうきに関するものである。
【０００２】
【従来の技術】
小型棒うきを用いて釣りを行う際には、飛ばしうきと称するうきを併用することが多い。すなわち、小型棒うきは軽量であるため仕掛けが投げにくく、また、釣りのポイントが遠い場合や風が強い時等には、風等の抵抗により仕掛けの飛距離がでず、狙ったポイントに正確に仕掛けを投入することが困難である。そこで自重のある飛ばしうきを小型棒うきと共に釣糸に装着し、飛ばしうきの重さにより仕掛けを投げやすくし、また、仕掛けの遠投を可能にしている。そしてこの飛ばしうきは一般に、水木、樫等の天然木材により構成されている。
【０００３】
一方、スーパーボール、マジックボールと称して市販されている合成樹脂製のボールに穴を開け、その穴に釣糸を挿通して上記飛ばしうきの代わりにすることも行われている。
【０００４】
【発明が解決しようとする課題】
上述の天然木材からなる飛ばしうきの場合は、仕掛けの投入時等にこの飛ばしうきが岩等にあたると、割れや傷等を生じ、損傷の度合いによっては以降その飛ばしうきを使用できなくなってしまうという問題があった。
【０００５】
また、上記合成樹脂製のボールを飛ばしうきの代わりに用いると、仕掛けの投入時や根がかり（ハリが水底等に引っ掛かった状態）が糸切れ等により急激に解除されたような場合に、このボールが岩等にあたると、このボールは反発力が高いため自分や他の釣り人の方に勢い良く跳ね返り、危険であると共に糸絡み等が生じてしまう。また、釣針への餌の取り付け時等にはこのボールがポンポン跳ねてしまい、やはり糸絡みが生じてしまうという問題があった。
【０００６】
そこで本発明は、仕掛の投入時等に岩等に衝突してもうき本体が致命的な損傷を受けてしまうのを防止することができると共に、糸絡みが生ずるのを防止することができる飛ばしうきを提供することを目的とする。
【０００７】
【課題を解決するための手段】
本発明は、仕掛けの飛距離を出すために釣糸に装着する飛ばしうきであって、低反発弾性のゴムで構成されるうき本体と、上記うき本体に設けられた視認性を高めるためのキャップ部とを備え、上記うき本体内には上記うき本体の両側部で開口する糸通し管を設けることを特徴とするものである。
【００１０】
さらにまた、上記キャップ部を合成樹脂により構成し、上記うき本体と上記キャップ部との間に、色映り防止用のシートを介在させたことを特徴とするものである。
【００１１】
【作用】
本発明によれば、飛ばしうきのうき本体が低反発弾性のゴムで構成されている。通常、うきはその重心が下部にくるように設定されているので、仕掛の投入時等にはうきはその重心がある下部の方が前になって飛んで行き、岩等にぶつかる場合にはうきの下部の方から衝突する。従って、この衝突部分となる部分がゴムにより構成されることにより、衝突による衝撃からうきが保護され、うき本体が岩等に衝突したときにうきが致命的な損傷を受けてしまうのが防止される。
【００１２】
そして上記ゴムは低反発弾性を有するので、岩等に衝突した場合でも勢い良く跳ね返ることはなく、従って、自分や他の釣り人にうきや仕掛けが当たってけがをしたり、他の釣り人の釣糸との間で糸絡みを生じたりすることはない。さらに、餌の付け替え時等に、うきがポンポン跳ねて糸絡み等を生ずるのが防止される。
【００１３】
また、低反発弾性のゴムで構成されたうき本体と合成樹脂製のキャップ部との間に色映り防止用のシートを介在させた場合には、上記ゴムが例えば黒色であって、キャップ部が視認性の良い橙色、黄色、赤等の半透明の合成樹脂からなっている場合であっても、ゴムの色がキャップ部から透けて見えることが防止される。従って、ゴムの色の色映りによってキャップ部の視認性が落ちたり、製品の美観が損ねられてしまうのが防止される。
【００１４】
【実施例】
以下、本発明の実施例を図面に基づき説明する。
【００１５】
図１〜図３は、本発明が実施された飛ばしうき１の構成を示す図である。
本実施例の飛ばしうき１は、略半球状のうき本体２と、視認性を高めるためのキャップ部３とから成っている。
【００１６】
うき本体２は、黒色の低反発弾性のゴムにより構成され、図２に示すように、内部に中空部４が形成されている。この低反発弾性のゴムとしては、例えば内外ゴム株式会社製の「ハネナイト」（登録商標）を使用する。この「ハネナイト」の反発弾性は２％であり、比重は１．３５である。そして、うき本体２の側部には、糸通し管１０が挿通される挿通孔５が設けられている。
【００１７】
糸通し管１０はポリプロピレン等の合成樹脂により構成され、その中央には、釣糸が挿通される糸通し孔１０ａが形成されている。この糸通し管１０はうき本体２の挿通孔５内で接着剤により固着され、この接着によりうき本体２内への水の侵入を防ぐシールドが行われている。なお、この糸通し管１０は、金属により構成するようにしても良い。
【００１８】
キャップ部３は、赤、橙、黄色等の視認性の良い色で着色された有色透光性あるいは遮光性のポリプロピレン、ポリカーボネート、ＡＢＳ等の合成樹脂により構成され、その内部に中空部６が形成されている。このキャップ部３は、射出成形により成形された後、必要に応じて色のディッピング、クリアのディッピング等の塗装処理が施される。
【００１９】
キャップ部３の下部には、環状の段部７が形成され、この段部７がうき本体２の中空部４内に挿入されるように構成されている。そして、キャップ部３とうき本体２とは、この段部７の部分で接着剤により固着され、この接着によりうき１内部への水の侵入を防ぐシールドが行われている。
【００２０】
図８は、この飛ばしうき１を用いた仕掛けの一例を示したものである。
この構成例では、ガイド付きの釣り竿２０に釣糸２１を巻いたリール２２を取り付け、釣糸２１にうき止め球２３、飛ばしうき１、からみ防止具２５、小型棒うき２４、サルカン２６、ハリス２７及び釣針２８を取り付けて構成されている。このように構成することにより、小型棒うき２４は軽量であるが、仕掛けの投入時には、風等が強くても飛ばしうき１の重量を利用して仕掛けを遠くに飛ばすことができる。なお、うき１は、内部が中空とされ、水に浮くようになされているので、釣り中は小型棒うき２４と共に海面に浮いている。その際、キャップ部３の存在により、視認性は極めて良い。
【００２１】
次に、本発明の他の実施例を図４〜図６に基づき説明する。なお、上述の図１〜図３の実施例と同一部分には、同一の符号を付してその説明を省略する。
【００２２】
図４〜図６の実施例では、黒い低反発弾性のゴムからなるうき本体２と合成樹脂製のキャップ部３との間に、うき本体２の黒色が合成樹脂製のキャップ部３から透けて見えるのを防止するための発泡スチロール、紙等からなる白色の色映り防止用のシートを介在させている。
【００２３】
図４の実施例では、上記色映り防止用のシートとして、円環状のシート３０を用い、うき本体２とキャップ部３とが接触する部分にのみシート３０が介在するように構成されている。
【００２４】
また、図５の実施例では、上記色映り防止用のシートとして、シート３１を用い、うき本体２とキャップ部３とが接触する部分のみならず、中空部６と中空部４の間にもシート３１を介在させ、うき本体２の黒色の色映りを完全に防止するように構成されている。このように構成することにより、キャップ部３を透光性のある合成樹脂により構成している場合に、太陽光がキャップ部３を通過し、なおかつシート３１上面で反射するので、キャップ部３の赤、橙、黄色等の色彩が光るように見え、視認性が極めて良い。
【００２５】
さらに、図６の実施例では、上記色映り防止用のシートとして、シート３２を用い、うき本体２とキャップ部３とが接触する部分のみならず、キャップ部３の裏面全体にシート３２を接着し、うき本体２の黒色の色映りを完全に防止するように構成されている。この場合も、キャップ部３を透光性のある合成樹脂により構成している場合に、太陽光がキャップ部３を通過し、なおかつシート３２上面で反射するので、キャップ部３の赤、橙、黄色等の色彩が光るように見え、視認性が極めて良い。
【００２６】
なお、図１〜図６の実施例のうき本体２を構成する低反発弾性のゴムは、上述の「ハネナイト」ではなく、低反発弾性の他のゴムを使用しても良い。この低反発弾性のゴムは、反発弾性が１５％以下のものが好ましい。
【００２７】
図７は、本発明を飛ばしうきではない通常の中通しうきに適用した実施例を示すものである。この中通しうきは、仕掛けの飛距離がでること及び仕掛けの絡みが少ないこと等の特徴を有することから近年多く用いられるようになっているものである。
【００２８】
図７（ａ）の実施例の中通しうき４０は、全体形状が略卵型形状（楕円球状）をなし、うき上部４１が天然木材で構成され、うき下部４２が低反発弾性のゴムで構成されている。うき上部４１の略中央部分には糸通し管４３が配置される挿通孔４４が設けられ、うき上部４１の側面には、うき下部４２の係合部４６が係合する係合溝４５が周方向に形成されている。
【００２９】
うき下部４２を構成する低反発弾性のゴムとしては、例えば、内外ゴム株式会社製の反発弾性が２％で比重が１．３５の「ハネナイト」（登録商標）を使用する。うき下部４２の上端部には係合部４６が一体的に設けられ、この係合部４６をうき上部４１の係合溝４５と係合させた状態でうき下部４２を接着等によりうき上部４１に固着する。
【００３０】
このうき下部４２の略中央部分には、糸通し管４３が挿通される挿通孔４８が設けられている。また、この挿通孔４８に連通するように形成された錘装着部４９には、鉛製のリング状の錘５０が装着されている。
【００３１】
挿通孔４４、４８に挿通される糸通し管４３は、ポリプロピレン等の合成樹脂又は金属からなり、その中央部には糸通し孔４３ａが設けられている。そしてこの糸通し管４３は、挿通孔４４、４８内でそれぞれ接着されると共に、この接着によりシールドが行われている。
【００３２】
なお、うき上部４１は合成樹脂、金属、セラミック等で構成しても良い。また、うき下部４２も上述の「ハネナイト」ではなく、低反発弾性の他のゴムを使用しても良い。
【００３３】
図７（ｂ）の実施例の中通しうき６０は、天然木材によりうき本体６１が略卵型形状（楕円球状）に構成され、その略中央部分に設けられた挿通孔６２内には糸通し管６３が接着等により固着されている。
【００３４】
糸通し管６３は、ポリプロピレン等の合成樹脂又は金属からなり、その中央部には糸通し孔６３ａが設けられている。また、うき本体６１の底部には、鉛製の錘６４が固着されている。
【００３５】
うき本体６１の下部には、低反発弾性のゴム６５が被覆されており、そのゴム６５の略中央部には、糸通し管６３が挿通される挿通孔６６が形成されている。低反発弾性のゴム６５としては、例えば、内外ゴム株式会社製の反発弾性が２％で比重が１．３５の「ハネナイト」（登録商標）を使用する。
【００３６】
なお、うき本体６１は合成樹脂、金属、セラミック等で構成しても良い。また、低反発弾性のゴム６５も上述の「ハネナイト」ではなく、低反発弾性の他のゴムを使用しても良い。
【００３７】
以上のように上述の図１〜図３及び図４、図５、図６の各実施例によれば、うき本体２が低反発弾性のゴムで構成され、また、図７（ａ）の実施例によればうき下部４２が低反発弾性のゴムにより構成され、図７（ｂ）の実施例によればうきの下部に低反発弾性のゴム６５が被覆されている。従って、釣り中にうき１、４０、６０が岩等にぶつかる場合に衝突部分となるうきの下部がゴムにより構成されているので、うき１、４０、６０が岩等に衝突したときにうき本体が致命的な損傷を受けてしまうのを防止することができ、従来釣り中にうきが岩等に衝突してうきが損傷を受けることによって必要となっていたうきの交換、仕掛けの作り直し等の作業が不要となると共に、１つのうきを長期間に亘って使用することができるようになるので経済性も良い。
【００３８】
また、上記ゴムは低反発弾性のゴムであるので、岩等への衝突時にうき１、４０、６０が勢い良く跳ね返って自分や他の釣り人にうきや仕掛けが当たってけがをしたり、他の釣り人の釣糸との間で糸絡みを生じたりすることはなく、また、餌の付け替え時等に、うき１、４０、６０が地面や岩の上でポンポン跳ねて糸絡み等を生ずるのが防止される。
【００３９】
また、図４〜図６の各実施例のように、低反発弾性のゴムで構成されたうき本体２と合成樹脂製のキャップ部３との間に色映り防止用のシート３０、３１、３２を介在させた場合には、黒いゴムの色がキャップ部３から透けて見えることが防止され、キャップ部３の視認性が落ちたり、製品の美観が損ねられてしまうのが防止される。
【００４０】
また、うきを天然木材により製造する場合には、木材毎に浮力にばらつきがあるため浮力の一定化が難しく、浮力の調整作業が大変であった。しかしながら、上述の図１〜図６の実施例のように、うき本体２を低反発弾性のゴムで構成し、キャップ部３を合成樹脂により構成するようにした場合には、ゴム、合成樹脂の場合には材質の均質性が保たれ、かつ、精度の高い加工をすることができるので、設計通りの浮力を有するうきを容易に製造することができる。従って、完成したうきの浮力のばらつきが防止され、従来行っていた浮力の調整作業が簡略化され、うきの製造工程の簡素化及び自動化が可能になると共に、量産化によるうきの製造コストの削減を図ることができる。
【００４１】
また、天然木材によりうきを製造する場合には、木材を切削する際に、木目の存在により木材を正確に切削することが困難であるため、うき本体の中心軸に対して対称形状を有する（真円の）うきを製造することが困難であった。そして真円でないうきの場合には、バランスが悪く、水に浮かべた際にうきが傾いてしまうという問題があった。また、木材の場合は形状の再現性に乏しく、同じ塗装の仕上げが困難である。すなわち、うき本体を回転させて色等を塗る場合に、一定の幅を塗ることや一定の線を引くことが困難であるのみならず、塗装の自動化ができず、浮力の測定も正確に行えないという問題があった。これに対して、上述の図１〜図６の実施例のように、うき本体２を低反発弾性のゴムで構成し、キャップ部３を合成樹脂により構成するようにした場合には、対称形状を有する（真円の）うきを容易に得ることができ、このような欠点はない。
【００４２】
さらに、うきの場合には、下を重く上を軽くするのがうきの基本であるが、上述の実施例のようにうき１、４０、６０の下部をゴムにより構成するようにした場合には、一般にゴムの場合は木材等に比べ比重が大きいため、上部の方を合成樹脂や木材等で構成することにより容易に下の方が重い（上の方が軽い）うきを得ることができる。従って、下の方を重くするために錘等を別に装着する必要がなくなる。そして錘は通常鉛製であり、この鉛は水等の自然環境に悪影響を及ぼす可能性が指摘されているが、鉛製の錘が不要となることによって自然環境の保護にも適したものになる。
【００４３】
以上、本発明の実施例につき説明したが、本発明は上述の実施例に限定されることなく、本発明の技術的思想に基づき各種の有効な変更が可能である。例えば、本発明は飛ばしうき、中通しうきに限らず、水中うき、棒うき、沈めうき、電気うき、発光うき等の各種のうきに適用可能である。
【００４４】
【発明の効果】
以上説明したように本発明によれば、飛ばしうきのうき本体が低反発弾性のゴムにより構成されているので、岩等に衝突したときにうき本体が致命的な損傷を受けてしまうのが防止されると共に、衝突時にうきが勢い良く跳ね返って自分や他の釣り人にうきや仕掛けが当たってけがをしたり、うきが岩等にポンポン跳ねて糸絡み等を生じたりするのが防止される。
【００４５】
また、低反発弾性のゴムで構成されたうき本体と合成樹脂製のキャップ部との間に色映り防止用のシートを介在させた場合には、ゴムの色がキャップ部から透けて見えることが防止され、キャップ部の視認性が落ちたり、製品の美観が損ねられてしまうのが防止される。
【図面の簡単な説明】
【図１】本発明の実施例の飛ばしうきの構成を説明するための図であり、（ａ）は平面図、（ｂ）は正面図、（ｃ）は背面図、（ｄ）は底面図、（ｅ）は側面図である。
【図２】図１（ａ）Ａ−Ａ矢視状態での断面図である。
【図３】図１（ａ）Ｂ−Ｂ矢視状態での断面図である。
【図４】本発明の他の実施例を説明するための図である。
【図５】本発明の他の実施例を説明するための図である。
【図６】本発明の他の実施例を説明するための図である。
【図７】本発明の他の実施例を説明するための図である。
【図８】本発明の実施例の飛ばしうきを用いた仕掛けの一例を示した図である。
【符号の説明】
１      飛ばしうき
２      うき本体
３      キャップ部
４      中空部
５      挿通孔
６      中空部
１０    糸通し管
１０ａ  糸通し孔
３０、３１、３２    色映り防止用シート
４０、６０    中通しうき
６５    低反発弾性のゴム
【図１】
0003566362.tif 000002
【図２】
0003566362.tif 000003
【図３】
0003566362.tif 000004
【図４】
0003566362.tif 000005
【図５】
0003566362.tif 000006
【図６】
0003566362.tif 000007
【図７】
0003566362.tif 000008
【図８】
0003566362.tif 000009